(57)【要約】貯水部からポンプと第１切換弁を介して濾過器へ水を導入し、濾過器で浄化した水を、第２切換弁５を介して貯水部へ循環させる通水回路を設ける。給水源から開閉弁を介して前記通水回路へ給水管路を設ける。前記通水回路の第１切換弁と第２切換弁間に逆洗回路を形成するための回路を設ける。前記濾過器の下部に開閉弁を介して第１爆気洗浄回路を接続し、給水源から前記浄化回路のポンプ上流側管路に第３切換弁を介して第２爆気洗浄回路を接続する。前記第１爆気洗浄回路と第２爆気洗浄回路に各々開閉弁を介して圧縮空気供給手段を接続する。濾過器は逆洗回路の水流圧で正・逆回転してフイルタの目詰まりを剥離する回転洗浄枠体を備えている。
2009136448.tif 000002
【特許請求の範囲】
【請求項１】
貯水部１からポンプ２と第１切換弁３を介して濾過器４の上部通口４ａから内部へ水を導入し、濾過器４で浄化した水を下部通口４ｂから第２切換弁５を介して貯水部１へ給水する浄化回路６と；
給水源７から開閉弁８を介して前記浄化回路６へ源水を給水する給水管路９と；
前記浄化回路６の第１切換弁３と第２切換弁５間に接続され、第１切換弁３及び第２切換弁５の流路切換により、貯水部１から供給される水を第２切換弁５を介して濾過器４の下部通口４ｂへ導入し、濾過器４の上部通口４ａへ逆流させて前記第１切換弁３を介して上部排水管１０ａへ排出する逆洗回路１０と；
前記濾過器４の下部内側に、開閉弁１１を介して連通させた第１爆気洗浄回路１２と；
給水源７から前記浄化回路６のポンプ２上流側管路６ａに第３切換弁１３を介して接続された第２爆気洗浄回路１４と；
前記第１爆気洗浄回路１２と第２爆気洗浄回路１４に各々開閉弁を介して接続された圧縮空気供給手段１６と；
を具備することを特徴とする水回路の洗浄機構
【請求項２】
貯水部１からポンプ２と第１切換弁３を介して濾過器４の上部通口４ａから内部へ水を導入し、濾過器４で浄化した水を下部通口４ｂから第２切換弁５を介して貯水部１へ給水する浄化回路６と；
給水源７から開閉弁８を介して前記浄化回路６へ源水を給水する給水管路９と；
前記浄化回路６の第１切換弁３と第２切換弁５間に接続され、第１切換弁３及び第２切換弁５の流路切換により、貯水部１から供給される水を，第２切換弁５を介して濾過器４の下部通口４ｂへ通水し、濾過器４の上部通口４ａへ逆流させて前記第１切換弁３を介して上部排水管１０ａへ排出する逆洗回路１０と；
前記濾過器４の下部内側に、開閉弁１１を介して連通させた第１爆気洗浄回路１２と；
給水源７から前記浄化回路６のポンプ２上流側管路６ａに第３切換弁１３を介して接続された第２爆気洗浄回路１４と；
前記第１爆気洗浄回路１２と第２爆気洗浄回路１４に各々開閉弁を介して接続された圧縮空気供給手段１６と；を具備し、
前記濾過器４は、前記第１切換弁３に連通する上部通口４ａと、前記第２切換弁５に連通する下部通口４ｂを有するケーシング１７と；
ケーシング１７内にあって、前記上部通口４ａと下部通口４ｂ間のケーシング横断方向に固設された濾過フイルタ１８と；
前記濾過フイルタ１８の中心を貫通してケーシング１７内の上下方向に回転可能に支持された回転軸１９と；
濾過フイルタ１８上方の前記回転軸１９に固定され、下面に前記濾過フイルタ１８に接触する刷毛２２を植設した回転洗浄枠体２３と；
濾過フイルタ１８下方の前記回転軸１９の下部に、前記濾過フイルタ１８と対向させて固定した回転羽根部材２４と；
前記逆洗回路を構成する濾過器への導入側管路から分岐させ、切換弁２５を介してケーシング内の前記回転羽根部材２４の近傍に配管され、前記切換弁２５の流路切換により、回転羽根部材２４に正又は逆の回転駆動水力を供給する左右一対の配水管２６ａ、２６ｂと；を具備することを特徴とする水回路の洗浄機構
【請求項３】
上部通口４ａと下部通口４ｂを有するケーシング１７と；
ケーシング１７内にあって、前記上部通口４ａと下部通口４ｂ間のケーシング横断方向に固設された濾過フイルタ１８と；
前記濾過フイルタ１８の中心を貫通して回転可能に支持させた回転軸１９と；
濾過フイルタ上方の前記回転軸１９に固定され、下面に前記濾過フイルタ１８に接触する刷毛２２を植設した回転洗浄枠体２３と；
濾過フイルタ下方の前記回転軸１９下部に、前記濾過フイルタ１８と対向させて固定した回転羽根部材２４と；
前記逆洗回路を構成する濾過器への導入側管路から分岐させ、切換弁２５を介してケーシング内の前記回転羽根部材２４の近傍に配管され、前記切換弁２５の流路切換により、回転羽根部材２４に正又は逆の回転駆動水力を供給する左右一対の配水管２６ａ、２６ｂと；を具備することを特徴とする濾過器
【発明の詳細な説明】
【技術分野】
【０００１】
本発明は、濾過器を介装して水を浄化給水する水回路の洗浄機構及びこの洗浄機構に用いられる濾過器に関する。
【背景技術】
【０００２】
貯水部から通水される水を、濾過器を利用して循環させながら浄化する水回路の洗浄機構は、貯水槽、２４時間風呂、プール、湖沼、などの水の浄化に広く利用されている。
これらの水回路の洗浄機構には、例えば、特開平１１−１１４３２７号公報に示すように、洗浄水を逆流させて洗浄する逆洗回路を備えたものも知られいる。
【特許文献１】特開平１１−１１４３２７号公報
【発明の開示】
【発明が解決しようとする課題】
【０００３】
通水回路の管路洗浄は、管内に水を逆流させるだけでは管路内面に付着した水垢などの頑固な汚れを充分に洗い落とすことは困難である。
また、一方向にのみ送水するポンプで水を循環させる水回路においては、管路全体を逆流洗浄することは困難で、特に、貯水部からポンプまでの管路は逆洗されないまま使用され続けられるため、この部分の汚れによって洗浄効果が損なわれているのが実情である。
本発明の第１の目的は、複数の切換弁、開閉弁の切換制御で多様の洗浄回路を開成することができるとともに、特に、圧縮気体を混合した撹拌爆気水を圧送することにより、通水管路及び濾過器内部の水垢などを効率よく洗浄することができる水回路の洗浄機構を提供することにある。
本発明の第２の目的は、上記洗浄機構に加え、さらに、水回路の水を濾過器内に逆流させながら、逆流水の水流圧で回転洗浄枠体を正・逆回転させて、濾過フイルタの網状フイルタ面に目詰まりした付着物を、刷毛で強制的に除去しながら洗浄することができる洗浄機構を提供することにある。
本発明の第３の目的は、上記洗浄機構に適合した濾過器を提供することにある。
【課題を解決するための手段】
【０００４】
上記第１の目的を達成するために、本発明の洗浄機構は、貯水部からポンプと第１切換弁を介して濾過器の上部通口から内部へ水を導入し、濾過器で浄化した水を下部通口から第２切換弁を介して貯水部へ給水する浄化回路と；給水源から開閉弁を介して前記浄化回路又は貯水部へ源水を給水する給水管路と；前記浄化回路の第１切換弁と第２切換弁間に接続され、第１切換弁及び第２切換弁の流路切換により、貯水部から供給される水を第２切換弁を介して濾過器の下部通口へ導入し、濾過器の上部通口へ逆流させて前記第１切換弁を介して上部排水管へ排出する逆洗回路と；前記濾過器の下部内側に、開閉弁を介して連通させた第１爆気洗浄回路と；給水源から前記浄化回路のポンプ上流側に第３切換弁を介して接続された第２爆気洗浄回路と；前記第１爆気洗浄回路と第２爆気洗浄回路に各々開閉弁を介して接続された圧縮空気供給手段と；を具備することを特徴とする。
上記第２の目的を達成するために、本発明の洗浄機構は、貯水部からポンプと第１切換弁を介して濾過器の上部通口から内部へ水を導入し、濾過器で浄化した水を下部通口から第２切換弁を介して貯水部へ給水する浄化回路と；給水源から開閉弁を介して前記浄化回路へ源水を給水する給水管路と；前記浄化回路の第１切換弁と第２切換弁間に接続され、第１切換弁及び第２切換弁の流路切換により、貯水部から供給される水を第２切換弁を介して濾過器の下部通口へ導入し、濾過器の上部通口へ逆流させて前記第１切換弁を介して上部排水管へ排出する逆洗回路と；前記濾過器の下部内側に、開閉弁を介して連通させた第１爆気洗浄回路と；給水源から前記浄化回路のポンプ上流側に第３切換弁を介して接続された第２爆気洗浄回路４と；前記第１爆気洗浄回路と第２爆気洗浄回路に各々開閉弁を介して接続された圧縮空気供給手段と；を具備するとともに、前記濾過器が、前記第１切換弁に連通する上部通口と、前記第２切換弁に連通する下部通口を有するケーシングと；ケーシング内にあって、前記上部通口と下部通口間のケーシング横断方向に固設された濾過フイルタと；前記濾過フイルタの中心を貫通してケーシング内の上下方向に回転可能に支持させた回転軸と；濾過フイルタ上方の前記回転軸に固定され、下面に前記濾過フイルタに接触する刷毛を植設した回転洗浄枠体と；濾過フイルタ下方の前記回転軸に固定された回転羽根部材と；前記逆洗回路を構成する濾過器への導入側管路から分岐させ、切換弁を介してケーシング内の前記回転羽根部材の近傍に配管され、前記切換弁の流路切換により、回転羽根部材に正又は逆の回転駆動水力を供給する左右一対の配水管と；を具備することを特徴とする。
好ましくは、本発明の洗浄機構は、上記水回路において、第１切換弁、第２切換弁、第３切換弁、給水管路の開閉弁及び第１爆気洗浄回路の開閉弁が、それぞれ電動弁からなり、これら電動弁が制御信号により、自動的に浄化回路、逆先回路又は第１爆気洗浄回路及び第２爆気洗浄回路を自動的に開成する構成にしたことを特徴とする。
上記第３の目的を達成するために、本発明の洗浄機構に用いられる濾過器は、上部通口と下部通口を有するケーシングと；ケーシング内にあって、前記上部通口と下部通口間のケーシング横断方向に固設された濾過フイルタと；前記濾過フイルタの中心を貫通して回転可能に支持させた回転軸と；濾過フイルタ上方の前記回転軸に固定され、下面に前記濾過フイルタに接触する刷毛を植設した回転洗浄枠体と；濾過フイルタ下方の前記回転軸に固定された回転羽根部材と；前記逆洗回路を構成する濾過器への導入側管路から分岐して、切換弁を介してケーシング内の前記回転羽根部材の近傍に配管され、前記切換弁の流路切換により、回転羽根部材に正又は逆の回転駆動水力を供給する左右一対の配水管と；を具備することを特徴とする。
【発明の効果】
【０００５】
本発明は上記の構成になるので、（１）貯水部の水を濾過器を通して循環させる通常の浄化回路のほか、（２）一方向のタンクのみで送水する水回路において、貯水部の送水回路を切り換えて濾過器を逆流させる逆洗回路と、（３）この逆洗回路の濾過器内逆流水に圧縮エアーを吹き込んで逆洗する爆気洗浄回路と、（４）通常の浄化通水回路を利用し、これに濾過器下方から圧縮エアーを吹き込んで、濾過器から貯水部までの管路を洗浄する爆気先浄回路と、（５）送水管路のポンプ上流側に、圧縮エアーを吹き込んだ水を逆流・圧送して貯水部までの送水管路を逆流洗浄する爆気逆洗回路と、を選択的に開成することができる。
水回路の切換弁（三方弁）及び開閉弁を信号によって作動する電磁弁で構成することにより、制御装置からの信号で、上記各洗浄回路をワンタッチ操作で開成するようにこれら電動弁を自動制御することができる。
給水回路の濾過器を上記の構成にしたことにより、逆流洗浄水の水流圧で濾過フイルタ上方の回転洗浄枠体を正・逆回転させ、この回転洗浄枠体の刷毛で、濾過フイルタに目詰まりした不純物を掻き落して効率よく洗浄することができる。
【図面の簡単な説明】
【０００６】
【図１】本発明による水回路洗浄機構の基本的な概略構成図
【図２】通常浄化時の回路図
【図３】濾過器逆洗時の回路図
【図４】濾過器の爆気逆洗時の回路図
【図５】濾過器から下流側管路の爆気洗浄回路図
【図６】ポンプ上流側管路の爆気逆洗回路図
【図７】水回路洗浄機構に使用される濾過器の一実施例を示す概略構成図であって浄水回路説明図
【図８】水回路洗浄機構に使用される濾過器の一実施例を示す概略構成図であって逆洗回路説明図
【図９】濾過フイルタの断面図
【図１０】濾過フイルタの下面図
【図１１】図８の実施例による濾過器の下部横断面図
【符号の説明】
【０００７】
［００１４］  １…貯水部
２…ポンプ
３…第１切換弁
４…濾過器
４ａ…上部通口
４ｂ…下部通口
５…第２切換弁
６…浄化回路
６ａ…送水管路
６ｂ…浄水管路
７…給水源
８…開閉弁
９…給水管
１０…逆洗回路
１０ａ…排水管
１０´…管路
１１…開閉弁
１２…第１爆気洗浄回路
１３…第３切換弁
１４…第２爆気洗浄回路
１５…開閉弁
１６…圧縮空気供給手段
１７…ケーシング
１８…濾過フイルタ
１８ａ…網体
１８ｂ…フイルタ布
１９…回転軸
２０…基枠
２１…支持枠
２１´…支持スリーブ
２２…刷毛
２３…回転洗浄枠体
２４…回転羽根部材
２５…切換弁
２６ａ、２６ｂ…配水管
２７…逆止弁
２８…開閉弁
２９…ドレン
３０…開閉弁
３１…キャッチャー
３２…開閉弁
【発明を実施するための最良の形態】
【０００８】
以下に、本発明の実施例を添付の図面に基づいて説明する。
図１は、本発明による洗浄機構を備えた水回路の基本構成を示すもので、貯水部１からポンプ２を介して圧送する水を濾過器４で浄化して貯水部１に循環させる浄化回路６を具備している。
この浄化回路６は、貯水部１から前記ポンプ２と第１切換弁（三方弁）３を介して濾過器４の上部通口４ａへ水を圧送する送水管路６ａと、導入された水を浄化する濾過器４と、濾過器４で浄化された浄水を、濾過器４の下部通口４ｂから第２切換弁（三方弁）５を介して前記貯水部１へ循環させる浄水管路６ｂで構成されている。
なお、図中、符号３１は通水中の水の粗ごみを取り除くキャッチャーである。
上記浄化回路６の浄水管路６ｂには、給水源７から電磁給水管９が接続されている。該給水管９には開閉弁８が介装され、必要に応じて開閉弁８を開くことによって給水源７から浄水管路６ｂに源水が給水され、貯水部１へ送水されるようになっている。
濾過器４の上部通口４ａに接続された前記浄化回路６のポンプ２下流側の送水管路６ａと、濾過器４の下部通口４ｂに接続された前記浄水管路６ｂの間には、第２切換弁（三方弁）５を介して逆洗回路１０が配管されており、前記第１切換弁３で送水管路６ａを閉じ、浄水管路６ｂの第２切換弁５を逆洗回路１０から濾過器４の下部通口４ｂ側へ開くことにより、浄水管路６ｂの圧力水流を濾過器４の下部から上部へ圧送する逆流洗浄回路を開成する構成になっている。
他方、濾過器４の上部通口４ａに連通する前記第１切換弁３には濾過器４の上部排水管１０ａが接続されている。
なお、図の実施例では、貯水部１からの送水管路６ａのポンプ２下流側管路を、第１切換弁３に通じる管路と、第２切換弁５に通じる管路に分岐し、第２切換弁５に通じる管路１０´を、逆洗回路１０を開くための通水路として用いている。
濾過器４の底部は開閉弁１５を介装した第１爆気洗浄回路１２が配管されている。好ましくは、濾過器４と開閉弁１５の間に逆止弁２７を設けてもよい。
一般に、濾過器４の底部には別の下部排水用開閉弁２８を介してドレン２９へ通じる排水管を有しており、本実施例では前記第１爆気洗浄回路１２を排水管の開閉弁２８上流側に接続して共用させているが、この構成に限らず、別々に独立して設けることもできる。
前記給水管路９と浄化回路６のポンプ２上流側送水管路６ａには、給水管路９の開閉弁８上流側から分岐した第２爆気逆洗浄回路１４が第３切換弁１３を介して配管されている。
なお、第２爆気逆洗洗浄回路１４は、比較的長時間に１度の割合でしようする回路であるため、給水管路９の開閉弁８を電動弁で構成する場合は、これとは別に、第２爆気洗浄回路１４専用の手動開閉弁３０を併設してもよい。
本発明の水回路は上記の構成になるので、図２に示すように、貯水部１からの送水管路６ａの第３切換弁１３をポンプ２側に開き、ポンプ２下流側の送水管路６ａの第１切換弁３を濾過器４の上部通口４ａへ開くとともに、第２切換弁５を、濾過器４の下部通口４ｂから浄水管路６ｂへ開くことにより、連続線矢印で示すように、貯水部１から送水する水を濾過器４の上方から下方へ通す過程で濾過し、浄水管路６ｂから貯水部１へ循環させる通常の浄化回路６が開成される。
他方、図３に示すように、送水管路６ａの第１切換弁３を濾過器４の上部通口４ａから上部排水管１０ａへ開き、送水管路６ａを閉じるように切換えるとともに、送水管路６ａから分岐させた逆洗回路１０が濾過器４の下部通口４ｂ側へ開く（連通）ように第２切換弁５を切換えると、ポンプ２を介して貯水部１から圧送される送水管路６ａの水が、点線矢印で示すように、第２切換弁５を介して濾過器４の下部通口４ｂから濾過器４内に導入し、濾過器４の上部通口４ａに逆流させて前記第１切換弁３を介して上部排水管１０ａから排水する逆洗回路１０が開成される。
さらに、図４に示すように、図３の逆洗回路の状態で、前記第１爆気洗浄回路１２の開閉弁１１を開くと、エアーコンプレッサなどの圧縮空気供給手段１６から第１爆気洗浄回路１２を通して濾過器４内に圧縮空気が吹き込まれ、前記逆洗回路の逆流水と混合されて濾過器４の上方へ送られ、上部排水管１０ａから排水される。したがって、濾過器４の内部は気液混合流体の逆流撹拌作用により洗浄される。（点線矢印と一点鎖線矢印参照）
また、図５に示すように、図２で示した通常の浄化回路において、第１爆気洗浄回路１２を通して濾過器４内に圧縮エアーを吹き込むことにより、一点鎖線で示すように、濾過器４内下部から貯水部１までの浄水管路６ｂ（戻り回路）が気液混合流体の撹拌作用によって洗浄される。
さらに、図６に示すように、第２爆気洗浄回路１４が貯水部１に連通するように送水管路６ａの第３切換弁１３を切換えるとともに、給水管９の開閉弁８を閉じた状態で給水源７の水を送水する前記第２爆気洗浄回路１４に圧縮空気供給手段１６からの圧縮エアーを吹き込むと、一点鎖線矢印で示すように、第２爆気洗浄回路１４からの気液混合流体が第３切換弁１３を介して貯水部１に逆流し、第２切換弁５から貯水部１に至る送水管路６ａが気液混合流体の逆流撹拌作用により洗浄される。この第２爆気洗浄回路１４を用いて送水管路６ａの第３切換弁１３から貯水部１までの送水管路６ａを爆気逆洗する場合は、ポンプ２その他の切換弁、開閉弁は不作動である。
第１切換弁３、第２切換弁５、第３切換弁１３、開閉弁８、１１、１５は、好ましくは、制御部（図は省略）からの信号によって作動する電動弁で構成し、前記各回路が制御部からの信号による遠隔操作で開成されるようにする。
図７及び図８は、本発明による水回路の洗浄機構に用いられる濾過器４の好ましい実施例を示すもので、濾過器４のケーシング１７は、水回路の前記第１切換弁３に管路を介して接続される上部通口４ａと第２切換弁６に管路を介して接続される下部通口４ｂを有するとともに、上部通口４ａと下部通口４ｂ間のケーシング１７横断方向に濾過フイルタ１８が固設されている。この濾過フイルタ１８は、強度のある細かい網体１８ａの上面にフイルタ布１８ｂを一体に重合した構成にするのが好ましい。
上部通口４ａから濾過器４内に延設した管路は先端開口部を好ましくは上向きに配置し、浄化回路の水が濾過器４内の上方へ吹き上げて濾過フイルタ１８面に均一に散水されるようにする。
ケーシング１７の内部上下方向に、前記濾過フイルタ１８の中心を貫通して上下方向に延びる回転軸１９が濾過器４内の基枠２０と支持枠２１に回転可能に軸止されているとともに、濾過フイルタ１８の上方へ突出した回転軸１９の先端側に回転洗浄枠体２３が固定されている。
支持枠２１は濾過フイルタ１８を水圧に対して水平に保持するもので、水の通過可能な放射フレームからなり、図の実施例では、回転軸１９を通した支持スリーブ２１´を介して濾過フイルタ１８の中心貫通孔の縁に一体結合されている。
前記回転洗浄枠体２３は回転軸１９に固定された放射アームの下側に、刷毛２２を植設してなり、刷毛２２の先端が前記濾過フイルタ１８の上面に接触するようにして配設されている。
前記回転軸１９は、濾過フイルタ１８及び支持枠２１よりも下方の軸体に回転羽根部材２４を、前記濾過フイルタ１８と対向させて平行に固定してある。
前記濾過器４内の回転羽根部材２４の左・右に、ケーシング１７の外部から切換弁（三方弁）２５を介して分岐させた一対の配水管２６ａ、２６ｂが液密に配管されており、これら一対の配水管２６ａ、２６ｂの先端は、図１０に示すように、回転羽根部材２４に対して相反する方向から回転作動水圧を与えるように配置されている。
これら一対の配水管２６ａ、２６ｂは、前記水回路の逆洗回路を構成する管路から分岐させた逆洗水導入管路に前記切換弁２５を介して接続されている。
図８の実施例のように、濾過器４の下部通口４ｂから第２切換弁５間の管路に前記左右一対の配水管２６ａ、２６ｂを連通させて逆流回路の濾過器４側導入管として利用する場合は、濾過器４の下部通口４ｂ近傍に好ましくは電動の開閉弁３２を設けるようにする。
かくして、本発明に使用する濾過器４は、図８に示すように、水回路の逆洗回路開成時の逆流水圧を利用して回転羽根部材２４を、円形矢印のように、交互に正・逆回転することにより、濾過フイルタ１８の上面が、正逆回転する前記回転洗浄枠体２３の刷毛２２により目詰まりが除去される。その結果、濾過器４内は回転羽根部材２４による下部からの正・逆撹拌逆流水によって、効率よく洗浄されるとともに、フイルタ１８から除去された不純物は逆流洗浄水により上方へ吹き上げられ、上部通口４ａから排水される。
図８の実施例に加えて、図４のように、濾過器４下部の第１爆気洗浄回路１２から圧縮エアーを圧送することにより、濾過器４内は爆気逆流されるので洗浄効果はさらに向上する。
【産業上の利用可能性】
【０００９】
本発明による水回路の洗浄機構は、複数箇所の切換弁、開閉弁を制御して、多様な洗浄回路が開成されるので、２４時間風呂、工業用水槽、湖沼等の水の洗浄・浄化システムに広く応用することができる。
【図１】
2009136448.tif 000003
【図２】
2009136448.tif 000004
【図３】
2009136448.tif 000005
【図４】
2009136448.tif 000006
【図５】
2009136448.tif 000007
【図６】
2009136448.tif 000008
【図７】
2009136448.tif 000009
【図８】
2009136448.tif 000010
【図９】
2009136448.tif 000011
【図１０】
2009136448.tif 000012
【図１１】
2009136448.tif 000013
【手続補正書】
【提出日】平成20年10月20日(2008.10.20)
【手続補正１】
【補正対象書類名】特許請求の範囲
【補正対象項目名】全文
【補正方法】変更
【補正の内容】
【特許請求の範囲】
【請求項１】
貯水部１からポンプ２と第１切換弁３を介して濾過器４の上部通口４ａから内部へ水を導入し、濾過器４で浄化した水を下部通口４ｂから第２切換弁５を介して貯水部１へ給水する浄化回路６と；
給水源７から開閉弁８を介して前記浄化回路６へ源水を給水する給水管路９と；
前記浄化回路６の第１切換弁３と第２切換弁５間に接続され、第１切換弁３及び第２切換弁５の流路切換により、貯水部１から供給される水を第２切換弁５を介して濾過器４の下部通口４ｂへ導入し、濾過器４の上部通口４ａへ逆流させて前記第１切換弁３を介して上部排水管１０ａへ排出する逆洗回路１０と；
前記濾過器４の下部内側に、開閉弁１１を介して連通させた第１爆気洗浄回路１２と；
給水源７から前記浄化回路６のポンプ２上流側管路６ａに第３切換弁１３を介して接続された第２爆気洗浄回路１４と；
前記第１爆気洗浄回路１２と第２爆気洗浄回路１４に各々開閉弁を介して接続された圧縮空気供給手段１６と；
を具備することを特徴とする水回路の洗浄機構
【請求項２】
貯水部１からポンプ２と第１切換弁３を介して濾過器４の上部通口４ａから内部へ水を導入し、濾過器４で浄化した水を下部通口４ｂから第２切換弁５を介して貯水部１へ給水する浄化回路６と；
給水源７から開閉弁８を介して前記浄化回路６へ源水を給水する給水管路９と；
前記浄化回路６の第１切換弁３と第２切換弁５間に接続され、第１切換弁３及び第２切換弁５の流路切換により、貯水部１から供給される水を，第２切換弁５を介して濾過器４の下部通口４ｂへ通水し、濾過器４の上部通口４ａへ逆流させて前記第１切換弁３を介して上部排水管１０ａへ排出する逆洗回路１０と；
前記濾過器４の下部内側に、開閉弁１１を介して連通させた第１爆気洗浄回路１２と；
給水源７から前記浄化回路６のポンプ２上流側管路６ａに第３切換弁１３を介して接続された第２爆気洗浄回路１４と；
前記第１爆気洗浄回路１２と第２爆気洗浄回路１４に各々開閉弁を介して接続された圧縮空気供給手段１６と；を具備し、
前記濾過器４は、前記第１切換弁３に連通する上部通口４ａと、前記第２切換弁５に連通する下部通口４ｂを有するケーシング１７と；
ケーシング１７内にあって、前記上部通口４ａと下部通口４ｂ間のケーシング横断方向に固設された濾過フイルタ１８と；
前記濾過フイルタ１８の中心を貫通してケーシング１７内の上下方向に回転可能に支持された回転軸１９と；
濾過フイルタ１８上方の前記回転軸１９に固定され、下面に前記濾過フイルタ１８に接触する刷毛２２を植設した回転洗浄枠体２３と；
濾過フイルタ１８下方の前記回転軸１９の下部に、前記濾過フイルタ１８と対向させて固定した回転羽根部材２４と；
前記逆洗回路を構成する濾過器への導入側管路から分岐させ、切換弁２５を介してケーシング内の前記回転羽根部材２４の近傍に配管され、前記切換弁２５の流路切換により、回転羽根部材２４に正又は逆の回転駆動水力を供給する左右一対の配水管２６ａ、２６ｂと；を具備することを特徴とする水回路の洗浄機構
【手続補正２】
【補正対象書類名】明細書
【補正対象項目名】０００４
【補正方法】変更
【補正の内容】
【０００４】
させる通常の浄化回路のほか、（２）一方向のポンプのみで送水する水回路において、貯水部の送水回路を切り換えて濾過器を逆流させる逆洗回路と、（３）この逆洗回路の濾過器内逆流水に圧縮エアーを吹き込んで逆洗する爆気洗浄回路と、（４）通常の浄化通水回路を利用し、これに濾過器下方から圧縮エアーを吹き込んで、濾過器から貯水部までの管路を洗浄する爆気先浄回路と、（５）送水管路のポンプ上流側に、圧縮エアーを吹き込んだ水を逆流・圧送して貯水部までの送水管路を逆流洗浄する爆気逆洗回路と、を選択的に開成することができる。
水回路の切換弁（三方弁）及び開閉弁を信号によって作動する電磁弁で構成することにより、制御装置からの信号で、上記各洗浄回路をワンタッチ操作で開成するようにこれら電動弁を自動制御することができる。
給水回路の濾過器を上記の構成にしたことにより、逆流洗浄水の水流圧で濾過フイルタ上方の回転洗浄枠体を正・逆回転させ、この回転洗浄枠体の刷毛で、濾過フイルタに目詰まりした不純物を掻き落して効率よく洗浄することができる。
図面の簡単な説明
［図１］本発明による水回路洗浄機構の基本的な概略構成図
［図２］通常浄化時の回路図
［図３］濾過器逆洗時の回路図
［図４］濾過器の爆気逆洗時の回路図
［図５］濾過器から下流側管路の爆気洗浄回路図
［図６］ポンプ上流側管路の爆気逆洗回路図
［図７］水回路洗浄機構に使用される濾過器の一実施例を示す概略構成図であって浄水回路説明図
［図８］水回路洗浄機構に使用される濾過器の一実施例を示す概略構成図であって逆洗回路説明図
［図９］濾過フイルタの断面図
［図１０］濾過フイルタの下面図
【手続補正書】
【提出日】平成21年3月12日(2009.3.12)
【手続補正１】
【補正対象書類名】特許請求の範囲
【補正対象項目名】全文
【補正方法】変更
【補正の内容】
【特許請求の範囲】
【請求項１】
貯水部（１）からポンプ（２）と第１切換弁（３）を介して濾過器（４）の上部通口（４ａ）から内部へ水を導入し、濾過器（４）で浄化した水を下部通口（４ｂ）から第２切換弁（５）を介して貯水部（1）へ給水する浄化回路（６）と；
給水源（７）から開閉弁（８）を介して前記浄化回路（６）へ源水を給水する給水管路（９）と；
前記浄化回路（６）の第１切換弁（３）と第２切換弁（５）間に接続され、第１切換弁（３）及び第２切換弁（５）の流路切換により、貯水部（１）から供給される水を第２切換弁（５）を介して濾過器（４）の下部通口（４ｂ）へ導入し、濾過器（４）の上部通口（４ａ）へ逆流させて前記第１切換弁（３）を介して上部排水管（１０ａ）へ排出する逆洗回路（１０）と；
前記濾過器（４）の下部内側に、開閉弁（１１）を介して連通させた第１爆気洗浄回路（１２）と；
給水源（７）から前記浄化回路（６）のポンプ（２）上流側管路（６ａ）に第３切換弁（１３）を介して接続された第２爆気洗浄回路（１４）と；
前記第１爆気洗浄回路（１２）と第２爆気洗浄回路（１４）に各々開閉弁を介して接続された圧縮空気供給手段（１６）と；
を具備することを特徴とする水回路の洗浄システム
【請求項２】
貯水部（１）からポンプ（２）と第１切換弁（３）を介して濾過器（４）の上部通口（４ａ）から内部へ水を導入し、濾過器（４）で浄化した水を下部通口（４ｂ）から第２切換弁（５）を介して貯水部（１）へ給水する浄化回路（６）と；
給水源（７）から開閉弁（８）を介して前記浄化回路（６）へ源水を給水する給水管路（９）と；
前記浄化回路（６）の第１切換弁（３）と第２切換弁（５）間に接続され、第１切換弁（３）及び第２切換弁（５）の流路切換により、貯水部（１）から供給される水を、第２切換弁（５）を介して濾過器（４）の下部通口（４ｂ）へ通水し、濾過器（４）の上部通口（４ａ）へ逆流させて前記第１切換弁（３）を介して上部排水管（１０ａ）へ排出する逆洗回路（１０）と；
前記濾過器（４）の下部内側に、開閉弁（１１）を介して連通させた第１爆気洗浄回路（１２）と；
給水源（７）から前記浄化回路（６）のポンプ（２）上流側管路（６ａ）に第３切換弁（１３）を介して接続された第２爆気洗浄回路（１４）と；
前記第１爆気洗浄回路（１２）と第２爆気洗浄回路（１４）に各々開閉弁を介して接続された圧縮空気供給手段（１６）と；を具備し、
前記濾過器（４）は、前記第１切換弁（３）に連通する上部通口（４ａ）と、前記第２切換弁（５）に連通する下部通口（４ｂ）を有するケーシング（１７）と；
ケーシング（１７）内にあって、前記上部通口（４ａ）と下部通口（４ｂ）間のケーシング横断方向に固設された濾過フイルタ（１８）と；
前記濾過フイルタ（１８）の中心を貫通してケーシング（１７）内の上下方向に回転可能に支持された回転軸（１９）と；
濾過フイルタ（１８）上方の前記回転軸（１９）に固定され、下面に前記濾過フイルタ（１８）に接触する刷毛（２２）を植設した回転洗浄枠体（２３）と；
濾過フイルタ（１８）下方の前記回転軸（１９）の下部に、前記濾過フイルタ（１８）と対向させて固定した回転羽根部材（２４）と；
前記逆洗回路を構成する濾過器への導入側管路から分岐させ、切換弁（２５）を介してケーシング内の前記回転羽根部材（２４）の近傍に配管され、前記切換弁（２５）の流路切換により、回転羽根部材（２４）に正又は逆の回転駆動水力を供給する左右一対の配水管（２６ａ）、（２６ｂ）と；を具備することを特徴とする水回路の洗浄システム
【国際調査報告】
2009136448.tif 000014
2009136448.tif 000015
2009136448.tif 000016
2009136448.tif 000017
2009136448.tif 000018